(57)【特許請求の範囲】
【請求項１】
マルチネットワークジョイント伝送に基づくオフロード方法であって、
第三世代パートナーシッププロジェクト３ＧＰＰアクセスネットワーク要素が無線ローカルエリアネットワークＷＬＡＮアクセスネットワーク要素にオフロード要求メッセージを送信し、前記オフロード要求メッセージにオフロード構成情報が含まれるステップと、
前記３ＧＰＰアクセスネットワーク要素が、前記ＷＬＡＮアクセスネットワーク要素の成功応答を受信した後、ユーザ装置ＵＥにオフロードコマンドを送信し、前記ＵＥが前記ＷＬＡＮアクセスネットワーク要素に対応するターゲットＷＬＡＮアクセスネットワークにアクセスすることを指示し、前記成功応答にオフロード準備情報が含まれ、前記オフロードコマンドにオフロード指示情報が含まれるステップと、
前記ＵＥが前記ターゲットＷＬＡＮアクセスネットワークに成功にアクセスすると確認した後、前記３ＧＰＰアクセスネットワーク要素が、前記ＷＬＡＮアクセスネットワーク要素とのオフロード接続によりデータオフロード伝送を行うステップと
を含むことを特徴とする方法。
【請求項２】
前記オフロード構成情報は、ＵＥ識別子情報に加えて、３ＧＰＰアクセスネットワーク要素のオフロード接続のアドレスとポート番号、オフロードデータストリームのフォーム情報の少なくとも１つを含み、または、
前記オフロード準備情報は、ＵＥ識別子情報に加えて、ＷＬＡＮ関連識別子、ＷＬＡＮアクセスネットワーク要素より前記ＵＥに割り当てられるアドレス情報、ＷＬＡＮアクセスネットワーク要素のオフロード接続のアドレスとポート番号の少なくとも１つを含み、または、
前記オフロード指示情報は、ＷＬＡＮ関連識別子、ＷＬＡＮアクセスネットワーク要素より前記ＵＥに割り当てられるアドレス情報、ＷＬＡＮアクセスネットワークの識別子情報の少なくとも１つを含むことを特徴とする
請求項１に記載のマルチネットワークジョイント伝送に基づくオフロード方法。
【請求項３】
前記３ＧＰＰアクセスネットワーク要素は、前記ＵＥまたはＷＬＡＮアクセスネットワーク要素からの指示メッセージに基づいて、前記ＵＥが前記ターゲットＷＬＡＮアクセスネットワークに成功にアクセスするかどうかを判断することを特徴とする
請求項１または２に記載のマルチネットワークジョイント伝送に基づくオフロード方法。
【請求項４】
前記３ＧＰＰアクセスネットワーク要素がＷＬＡＮアクセスネットワーク要素とのオフロード接続により、データオフロード伝送を行うことは、
前記３ＧＰＰアクセスネットワーク要素が、ＷＬＡＮアクセスネットワーク要素とのオフロード接続により、下りリンクオフロードデータを前記ＷＬＡＮアクセスネットワーク要素に送信し、前記ＷＬＡＮアクセスネットワーク要素より下りリンクオフロードデータを前記ＵＥに送信し、前記３ＧＰＰアクセスネットワーク要素がＷＬＡＮアクセスネットワーク要素とのオフロード接続により、前記ＵＥからＷＬＡＮアクセスネットワーク要素に送信された上りリンクオフロードデータを受信することを特徴とする
請求項１または２に記載のマルチネットワークジョイント伝送に基づくオフロード方法。
【請求項５】
３ＧＰＰアクセスネットワークが長期発展型ＬＴＥネットワークである場合、前記３ＧＰＰアクセスネットワーク要素は、発展型基地局ｅＮＢ、中継ノードＲＮまたはホーム発展型基地局ＨｅＮＢであり、
３ＧＰＰアクセスネットワークが汎用移動通信システムＵＭＴＳネットワークである場合、前記３ＧＰＰアクセスネットワーク要素は、無線ネットワークコントローラＲＮＣ、基地局ＮｏｄｅＢまたはホーム基地局ＨＮＢであることを特徴とする
請求項１または２に記載のマルチネットワークジョイント伝送に基づくオフロード方法。
【請求項６】
マルチネットワークジョイント伝送に基づくオフロードシステムであって、
前記ＷＬＡＮアクセスネットワーク要素にオフロード要求メッセージを送信し、前記ＷＬＡＮアクセスネットワーク要素の成功応答を受信した後、前記ＵＥにオフロードコマンドを送信し、前記ＵＥが前記ＷＬＡＮアクセスネットワーク要素に対応するターゲットＷＬＡＮアクセスネットワークにアクセスすることを指示し、前記ＵＥが前記ターゲットＷＬＡＮアクセスネットワークに成功にアクセスすると確認した後、前記ＷＬＡＮアクセスネットワーク要素とのオフロード接続によりデータオフロード伝送を行うように配置される３ＧＰＰアクセスネットワーク要素と、
前記３ＧＰＰアクセスネットワーク要素のオフロード要求メッセージを受信し、そして前記３ＧＰＰアクセスネットワーク要素に応答を返すように配置され、さらに、前記３ＧＰＰアクセスネットワーク要素とのオフロード接続により、前記ＵＥと３ＧＰＰアクセスネットワーク要素との間のオフロードデータを転送するように配置されるＷＬＡＮアクセスネットワーク要素と、
前記３ＧＰＰアクセスネットワーク要素のオフロードコマンドを受信し、そして前記オフロードコマンドに基づいて前記ＷＬＡＮアクセスネットワーク要素に対応するターゲットＷＬＡＮアクセスネットワークにアクセスするように配置され、さらに、前記ターゲットＷＬＡＮアクセスネットワークに成功にアクセスした後、前記ＷＬＡＮアクセスネットワーク要素により前記３ＧＰＰアクセスネットワーク要素とデータオフロード伝送を行うように配置されるＵＥとを備え、
前記オフロード要求メッセージにオフロード構成情報が含まれ、前記成功応答にオフロード準備情報が含まれ、前記オフロードコマンドにオフロード指示情報が含まれることを特徴とするマルチネットワークジョイント伝送に基づくオフロードシステム。
【請求項７】
前記オフロード構成情報は、ＵＥ識別子情報に加えて、３ＧＰＰアクセスネットワーク要素のオフロード接続のアドレスとポート番号、オフロードデータストリームのフォーム情報の少なくとも１つを含み、または、
前記オフロード準備情報は、ＵＥ識別子情報に加えて、ＷＬＡＮ関連識別子、ＷＬＡＮアクセスネットワーク要素より前記ＵＥに割り当てられるアドレス情報、ＷＬＡＮアクセスネットワーク要素のオフロード接続のアドレスとポート番号の少なくとも１つを含み、または、
前記オフロード指示情報は、ＷＬＡＮ関連識別子、ＷＬＡＮアクセスネットワーク要素より前記ＵＥに割り当てられるアドレス情報、ＷＬＡＮアクセスネットワークの識別子情報の少なくとも１つを含むことを特徴とする
請求項６に記載のマルチネットワークジョイント伝送に基づくオフロードシステム。
【請求項８】
前記３ＧＰＰアクセスネットワーク要素は、さらに、前記ＵＥまたはＷＬＡＮアクセスネットワーク要素からの指示メッセージに基づいて、前記ＵＥが前記ターゲットＷＬＡＮアクセスネットワークに成功にアクセスするかどうかを判断するように配置されることを特徴とする
請求項６または７に記載のマルチネットワークジョイント伝送に基づくオフロードシステム。
【請求項９】
前記３ＧＰＰアクセスネットワーク要素は、さらに、ＷＬＡＮアクセスネットワーク要素とのオフロード接続により、下りリンクオフロードデータを前記ＷＬＡＮアクセスネットワーク要素に送信し、前記ＷＬＡＮアクセスネットワーク要素より下りリンクオフロードデータを前記ＵＥに送信し、ＷＬＡＮアクセスネットワーク要素とのオフロード接続により、前記ＵＥからＷＬＡＮアクセスネットワーク要素に送信された上りリンクオフロードデータを受信するように配置されることを特徴とする
請求項６または７に記載のマルチネットワークジョイント伝送に基づくオフロードシステム。
【請求項１０】
３ＧＰＰアクセスネットワークが長期発展型ＬＴＥネットワークである場合、前記３ＧＰＰアクセスネットワーク要素は、発展型基地局ｅＮＢ、中継ノードＲＮまたはホーム発展型基地局ＨｅＮＢであり、
３ＧＰＰアクセスネットワークが汎用移動通信システムＵＭＴＳネットワークである場合、前記３ＧＰＰアクセスネットワーク要素は、無線ネットワークコントローラＲＮＣ、基地局ＮｏｄｅＢまたはホーム基地局ＨＮＢであることを特徴とする
請求項６または７に記載のマルチネットワークジョイント伝送に基づくオフロードシステム。
【請求項１１】
第三世代パートナーシッププロジェクト（３ＧＰＰ）アクセスネットワーク要素であって、
無線ローカルエリアネットワークＷＬＡＮアクセスネットワーク要素にオフロード要求メッセージを送信し、そして前記ＷＬＡＮアクセスネットワーク要素の応答を受信し、前記オフロード要求メッセージにオフロード構成情報が含まれるように配置されるオフロード要求モジュールと、
前記ＷＬＡＮアクセスネットワーク要素の成功応答を受信した後、ユーザ装置ＵＥにオフロードコマンドを送信し、前記ＵＥが前記ＷＬＡＮアクセスネットワーク要素に対応するターゲットＷＬＡＮアクセスネットワークにアクセスすることを指示し、前記成功応答にオフロード準備情報が含まれるように配置されるオフロード指示モジュールと、
前記ＵＥが前記ターゲットＷＬＡＮアクセスネットワークに成功にアクセスすると確認した後、前記３ＧＰＰアクセスネットワーク要素とＷＬＡＮアクセスネットワーク要素との間のオフロード接続により、データオフロード伝送を行い、前記オフロードコマンドにオフロード指示情報が含まれるように配置されるオフロード伝送モジュールと
を備えることを特徴とする３ＧＰＰアクセスネットワーク要素。
【請求項１２】
前記オフロード構成情報は、ＵＥ識別子情報に加えて、３ＧＰＰアクセスネットワーク要素のオフロード接続のアドレスとポート番号、オフロードデータストリームのフォーム情報の少なくとも１つを含み、または、
前記オフロード準備情報は、ＵＥ識別子情報に加えて、前記オフロード準備情報が、ＷＬＡＮ関連識別子、ＷＬＡＮアクセスネットワーク要素が前記ＵＥに割り当てられるアドレス情報、ＷＬＡＮアクセスネットワーク要素のオフロード接続のアドレスとポート番号の少なくとも１つを含み、または、
前記オフロード指示情報は、ＷＬＡＮ関連識別子、ＷＬＡＮアクセスネットワーク要素より前記ＵＥに割り当てられるアドレス情報、ＷＬＡＮアクセスネットワークの識別子情報の少なくとも１つを含むことを特徴とする
請求項１１に記載の３ＧＰＰアクセスネットワーク要素。
【請求項１３】
前記オフロード伝送モジュールは、さらに、前記ＵＥまたはＷＬＡＮアクセスネットワーク要素からの指示メッセージに基づいて、前記ＵＥが前記ターゲットＷＬＡＮアクセスネットワークに成功にアクセスするかどうかを判断するように配置されることを特徴とする
請求項１１または１２に記載の３ＧＰＰアクセスネットワーク要素。
【請求項１４】
前記オフロード伝送モジュールは、さらに、ＷＬＡＮアクセスネットワーク要素とのオフロード接続により、下りリンクオフロードデータを前記ＷＬＡＮアクセスネットワーク要素に送信し、前記ＷＬＡＮアクセスネットワーク要素より下りリンクオフロードデータを前記ＵＥに送信し、ＷＬＡＮアクセスネットワーク要素とのオフロード接続により、前記ＵＥからＷＬＡＮアクセスネットワーク要素に送信された上りリンクオフロードデータを受信するように配置されることを特徴とする
請求項１１または１２に記載の３ＧＰＰアクセスネットワーク要素。
【請求項１５】
３ＧＰＰアクセスネットワークが長期発展型ＬＴＥネットワークである場合、前記３ＧＰＰアクセスネットワーク要素は、発展型基地局ｅＮＢ、中継ノードＲＮまたはホーム発展型基地局ＨｅＮＢであり、
３ＧＰＰアクセスネットワークが汎用移動通信システムＵＭＴＳネットワークである場合、前記３ＧＰＰアクセスネットワーク要素は、無線ネットワークコントローラＲＮＣ、基地局ＮｏｄｅＢまたはホーム基地局ＨＮＢであることを特徴とする
請求項１１または１２に記載の３ＧＰＰアクセスネットワーク要素。
【発明の詳細な説明】
【技術分野】
【０００１】
本発明は、移動通信分野に関し、特にマルチネットワークジョイント伝送に基づくオフロード方法、システム及びアクセスネットワーク要素に関する。
【背景技術】
【０００２】
無線通信技術とプロトコル標準の連続的な発展に伴い、移動パケットサービスは、巨大な発展を経験し、単一の端末のデータ処理能力がますます向上している。長期発展型（ＬＴＥ:Ｌｏｎｇ Ｔｅｒｍ Ｅｖｏｌｕｔｉｏｎ）システムを例として、２０Ｍ（メガバイト）帯域幅内に下りリンク最大速度１００Ｍｂｐｓ（メガビット/秒）のデータ転送をサポートすることができる。強化型ＬＴＥ（ＬＴＥ-Ａ：ＬＴＥ Ａｄｖａｎｃｅｄ）システムにおいて、データの伝送速度は、さらに向上され、さらには１Ｇｂｐｓ（ギガビット/秒）に向上されることができる。
【０００３】
端末のデータサービス量が膨張的に増加することにより、従来のネットワークリソースは、徐々に需要を満たすことができなく、特に、次世代世代通信技術（例えば３Ｇ、ＬＴＥ）がまだ広範囲でネットワークを配布することができない場合、その結果、ユーザ速度と流量需要をともに満たすことができなく、ユーザ体験がより悪い。この状況を如何に予防及び変更するかは、プロバイダーが考慮しなければならない問題であり、一方では新しい技術の普及及びネットワーク配備を加速する必要があり、他方、従来のネットワークおよび技術を強化することにより、ネットワーク性能を迅速に向上させる目的を達成する。第三世代パートナーシッププロジェクト（３ＧＰＰ：Ｔｈｅ ３ｒｄ Ｇｅｎｅｒａｔｉｏｎ Ｐａｒｔｎｅｒｓｈｉｐ Ｐｒｏｊｅｃｔ）に提供される無線ネットワーク技術の以外、現在すでに普遍に応用される無線ローカルエリアネットワーク、特にＩＥＥＥ ８０２．１１標準に基づく無線ローカルエリアネットワークは、すでに家庭、企業ひいてはネットワークにおいてホットスポットアクセスカバーに広く応用される。ここで、ＷｉＦｉアライアンス（Ｗｉ−Ｆｉ Ａｌｌｉａｎｃｅ）によって提案される技術仕様は、最も広く応用されている。
【０００４】
上記の前提で、現在、無線ローカルエリアネットワーク（ＷＬＡＮ：Ｗｉｒｅｌｅｓｓ
Ｌｏｃａｌ Ａｒｅａ Ｎｅｔｗｏｒｋｓ）と従来の３ＧＰＰネットワークをジョイント伝送させ、即ち、ＷＬＡＮネットワークを用いて従来のＬＴＥネットワークに対する負荷オフロード（Ｏｆｆｌｏａｄ）およびネットワーク性能向上の目的を達成することは、あるプロバイダーより提案されている。現在３ＧＰＰではすでに３ＧＰＰ）ネットワークとＷＬＡＮネットワークインターワーキング（Ｉｎｔｅｒｗｏｒｋｉｎｇ）の関連プロトコルが制定され、図１に示すように、従来のＩｎｔｅｒｗｏｒｋｉｎｇ構造において、ＷＬＡＮネットワークがＬＴＥネットワーク内の認証認可アカウンティング（ＡＡＡ：Ａｕｔｈｅｎｔｉｃａｔｉｏｎ Ａｕｔｈｏｒｉｚａｔｉｏｎ Ａｃｃｏｕｎｔｉｎｇ）サーバを用いて統一的に認証認可を行われることが許可されるとともに、従来のＬＴＥネットワークにおけるパケットデータネットワークゲートウェイをＷＬＡＮネットワークのパケットデータゲートウェイとして多重化することができ、２つのネットワークの統一的な会計、費用計算などを実現することもでき、それによって２つのネットワークの疎結合を達成する。
【０００５】
しかしながら、現在のインターワーキング構造は、また下記の欠点が存在する。
１、現在のインターワーキング構造は、プロバイダーが独立した３ＧＰＰネットワークと独立した完全なＷＬＡＮネットワークを持つことに依存するので、プロバイダーが複数
のネットワークを同時に運転して維持することを要求し、運転コスト支出（ＣＡＰＥＸ：Ｃａｐｉｔａｌ Ｅｘｐｅｎｄｉｔｕｒｅ）がより高い。
【０００６】
２、ユーザ装置（ＵＥ：Ｕｓｅｒ Ｅｑｕｉｐｍｅｎｔ）は、ネットワーク側（例えばＬＴＥネットワークとＷＬＡＮネットワーク）がインターワーキングをサポートするかどうかを知ることができないので、ＵＥは、現在のネットワークとインターワーキングを行うことができないターゲットネットワークへの接続を選択する可能性がある。
【０００７】
３、ＵＥが３ＧＰＰネットワークとＷＬＡＮネットワークの間に動く場合、データストリームの切り替えは、より遅い。
【０００８】
４、現在のインターワーキングは、ＵＥよりトリガされ、ネットワーク側は、ターゲットネットワークに対してアクティブな選択権を有せず、ネットワークへのＵＥのアクセスに対する制御権を失ったので、ネットワーク側は、ユーザが所望または最適なターゲットネットワークにアクセスすることを案内できないことにつながる。
【先行技術文献】
【特許文献】
【０００９】
【特許文献１】中国特許出願公開第１０１７３０２７９号明細書
【発明の概要】
【発明が解決しようとする課題】
【００１０】
これを鑑みて、本発明の実施形態の主な目的は、ネットワーク側のマルチネットワークジョイント伝送に対するオフロード制御を実現するように、マルチネットワークジョイント伝送に基づくオフロード方法、システム及びアクセスネットワーク要素を提供することにある。
【課題を解決するための手段】
【００１１】
上記目的を達成するために、本発明の実施形態の技術的なスキームは、以下のように実現される。
【００１２】
マルチネットワークジョイント伝送に基づくオフロード方法は、第三世代パートナーシッププロジェクト３ＧＰＰアクセスネットワーク要素が無線ローカルエリアネットワークＷＬＡＮアクセスネットワーク要素にオフロード要求メッセージを送信するステップと、前記３ＧＰＰアクセスネットワーク要素が前記ＷＬＡＮアクセスネットワーク要素の成功応答を受信した後、ユーザ装置ＵＥにオフロードコマンドを送信し、前記ＵＥが前記ＷＬＡＮアクセスネットワーク要素に対応するターゲットＷＬＡＮアクセスネットワークにアクセスすることを指示するステップと、前記ＵＥが前記ターゲットＷＬＡＮアクセスネットワークに成功にアクセスすると確認した後、前記３ＧＰＰアクセスネットワーク要素が前記ＷＬＡＮアクセスネットワーク要素とのオフロード接続によりデータオフロード伝送を行うステップとを含む。
【００１３】
前記オフロード要求メッセージには、ＵＥ識別子情報に加えて、３ＧＰＰアクセスネットワーク要素のオフロード接続のアドレスとポート番号、オフロードデータストリームのフォーム情報の少なくとも１つを含むオフロード構成情報が含まれる。
【００１４】
前記成功応答には、ＵＥ識別子情報に加えて、ＷＬＡＮ関連識別子、ＷＬＡＮアクセスネットワーク要素より前記ＵＥに割り当てられるアドレス情報、ＷＬＡＮアクセスネットワーク要素のオフロード接続のアドレスとポート番号の少なくとも１つを含むオフロード準備情報が含まれる。
【００１５】
前記オフロードコマンドには、ＷＬＡＮ関連識別子、ＷＬＡＮアクセスネットワーク要素より前記ＵＥに割り当てられるアドレス情報、ＷＬＡＮアクセスネットワークの識別子情報の少なくとも１つが含まれる。
【００１６】
前記３ＧＰＰアクセスネットワーク要素は、前記ＵＥまたはＷＬＡＮアクセスネットワーク要素からの指示メッセージに基づいて、前記ＵＥが前記ターゲットＷＬＡＮアクセスネットワークに成功にアクセスするかどうかを判断する。
【００１７】
前記３ＧＰＰアクセスネットワーク要素がＷＬＡＮアクセスネットワーク要素との間のオフロード接続により、データオフロード伝送を行うことは、前記３ＧＰＰアクセスネットワーク要素がＷＬＡＮアクセスネットワーク要素との間のオフロード接続により、下りリンクオフロードデータを前記ＷＬＡＮアクセスネットワーク要素に送信し、前記ＷＬＡＮアクセスネットワーク要素より下りリンクオフロードデータを前記ＵＥに送信し、前記３ＧＰＰアクセスネットワーク要素がＷＬＡＮアクセスネットワーク要素との間のオフロード接続により、前記ＵＥからＷＬＡＮアクセスネットワーク要素に送信された上りリンクオフロードデータを受信することを含む。
【００１８】
上記のスキームにおいて、３ＧＰＰアクセスネットワークが長期発展型ＬＴＥネットワークである場合、前記３ＧＰＰアクセスネットワーク要素は、発展型基地局ｅＮＢ、中継ノードＲＮまたはホーム発展型基地局ＨｅＮＢである。
【００１９】
３ＧＰＰアクセスネットワークが汎用移動通信システムＵＭＴＳネットワークである場合、前記３ＧＰＰアクセスネットワーク要素は、無線ネットワークコントローラＲＮＣ、基地局ＮｏｄｅＢまたはホーム基地局ＨＮＢである。
【００２０】
マルチネットワークジョイント伝送に基づくオフロードシステムは、前記ＷＬＡＮアクセスネットワーク要素にオフロード要求メッセージを送信し、前記ＷＬＡＮアクセスネットワーク要素の成功応答を受信した後、前記ＵＥにオフロードコマンドを送信し、前記ＵＥが前記ＷＬＡＮアクセスネットワーク要素に対応するターゲットＷＬＡＮアクセスネットワークにアクセスすることを指示し、前記ＵＥが前記ターゲットＷＬＡＮアクセスネットワークに成功にアクセスすると確認した後、前記ＷＬＡＮアクセスネットワーク要素とのオフロード接続によりデータオフロード伝送を行うように配置される第三世代パートナーシッププロジェクト３ＧＰＰアクセスネットワーク要素と、前記３ＧＰＰアクセスネットワーク要素のオフロード要求メッセージを受信し、そして前記３ＧＰＰアクセスネットワーク要素に応答を返すように配置され、さらに、前記３ＧＰＰアクセスネットワーク要素との間のオフロード接続により、前記ＵＥと３ＧＰＰアクセスネットワーク要素との間のオフロードデータを転送するように配置される無線ローカルエリアネットワークＷＬＡＮアクセスネットワーク要素と、前記３ＧＰＰアクセスネットワーク要素のオフロードコマンドを受信し、そして前記オフロードコマンドに基づいて前記ＷＬＡＮアクセスネットワーク要素に対応するターゲットＷＬＡＮアクセスネットワークにアクセスするように配置され、さらに、前記ターゲットＷＬＡＮアクセスネットワークに成功にアクセスした後、前記ＷＬＡＮアクセスネットワーク要素により前記３ＧＰＰアクセスネットワーク要素とデータオフロード伝送を行うように配置されるユーザ装置ＵＥとを含む。
【００２１】
前記オフロード要求メッセージには、ＵＥ識別子情報に加えて、３ＧＰＰアクセスネットワーク要素のオフロード接続のアドレスとポート番号、オフロードデータストリームのフォーム情報の少なくとも１つを含むフロード構成情報が含まれる。
【００２２】
前記成功応答には、ＵＥ識別子情報に加えて、ＷＬＡＮ関連識別子、ＷＬＡＮアクセス
ネットワーク要素より前記ＵＥに割り当てられるアドレス情報、ＷＬＡＮアクセスネットワーク要素のオフロード接続のアドレスとポート番号の少なくとも１つを含むフロード準備情報が含まれる。
【００２３】
前記オフロードコマンドには、ＷＬＡＮ関連識別子、ＷＬＡＮアクセスネットワーク要素が前記ＵＥに割り当てられるアドレス情報、ＷＬＡＮアクセスネットワークの識別子情報の少なくとも1つを含むオフロード指示情報が含まれる。
【００２４】
前記３ＧＰＰアクセスネットワーク要素は、さらに、前記ＵＥまたはＷＬＡＮアクセスネットワーク要素からの指示メッセージに基づいて、前記ＵＥが前記ターゲットＷＬＡＮアクセスネットワークに成功にアクセスするかどうかを判断するように配置される。
【００２５】
前記３ＧＰＰアクセスネットワーク要素は、さらに、ＷＬＡＮアクセスネットワーク要素との間のオフロード接続により、下りリンクオフロードデータを前記ＷＬＡＮアクセスネットワーク要素に送信し、前記ＷＬＡＮアクセスネットワーク要素より下りリンクオフロードデータを前記ＵＥに送信し、ＷＬＡＮアクセスネットワーク要素との間のオフロード接続により、前記ＵＥからＷＬＡＮアクセスネットワーク要素に送信された上りリンクオフロードデータを受信するように配置される。
【００２６】
上記のスキームにおいて、３ＧＰＰアクセスネットワークが長期発展型（ＬＴＥ）ネットワークである場合、前記３ＧＰＰアクセスネットワーク要素は、発展型基地局ｅＮＢ、中継ノードＲＮまたはホーム発展型基地局ＨｅＮＢである。
【００２７】
３ＧＰＰアクセスネットワークが汎用移動通信システムＵＭＴＳネットワークである場合、前記３ＧＰＰアクセスネットワーク要素は、無線ネットワークコントローラＲＮＣ、基地局ＮｏｄｅＢまたはホーム基地局ＨＮＢである。
【００２８】
第三世代パートナーシッププロジェクト３ＧＰＰアクセスネットワーク要素は、無線ローカルエリアネットワークＷＬＡＮアクセスネットワーク要素にオフロード要求メッセージを送信し、そして前記ＷＬＡＮアクセスネットワーク要素の応答を受信するように配置されるオフロード要求モジュールと、前記ＷＬＡＮアクセスネットワーク要素の成功応答を受信した後、ユーザ装置ＵＥにオフロードコマンドを送信し、前記ＷＬＡＮアクセスネットワーク要素に対応するターゲットＷＬＡＮアクセスネットワークにアクセスすることを指示するように配置されるオフロード指示モジュールと、前記ＵＥが前記ターゲットＷＬＡＮアクセスネットワークに成功にアクセスすると確認した後、前記３ＧＰＰアクセスネットワーク要素とＷＬＡＮアクセスネットワーク要素との間のオフロード接続により、データオフロード伝送を行うように配置されるオフロード伝送モジュールとを含む。
【００２９】
前記オフロード要求メッセージには、ＵＥ識別子情報に加えて、３ＧＰＰアクセスネットワーク要素のオフロード接続のアドレスとポート番号、オフロードデータストリームのフォーム情報の少なくとも１つを含むオフロード構成情報が含まれる。
【００３０】
前記成功応答には、ＵＥ識別子情報に加えて、ＷＬＡＮ関連識別子、ＷＬＡＮアクセスネットワーク要素より前記ＵＥに割り当てられるアドレス情報、ＷＬＡＮアクセスネットワーク要素のオフロード接続のアドレスとポート番号の少なくとも1つを含むオフロード準備情報が含まれる。
【００３１】
前記オフロードコマンドには、ＷＬＡＮ関連識別子、ＷＬＡＮアクセスネットワーク要素より前記ＵＥに割り当てられるアドレス情報、ＷＬＡＮアクセスネットワークの識別子情報の少なくとも１つを含むオフロード指示情報が含まれる。
【００３２】
前記オフロード伝送モジュールは、さらに、前記ＵＥまたはＷＬＡＮアクセスネットワーク要素からの指示メッセージに基づいて、前記ＵＥが前記ターゲットＷＬＡＮアクセスネットワークに成功にアクセスするかどうかを判断するように配置される。
【００３３】
前記オフロード伝送モジュールは、さらに、ＷＬＡＮアクセスネットワーク要素との間のオフロード接続により、下りリンクオフロードデータを前記ＷＬＡＮアクセスネットワーク要素に送信し、前記ＷＬＡＮアクセスネットワーク要素より下りリンクオフロードデータを前記ＵＥに送信し、ＷＬＡＮアクセスネットワーク要素との間のオフロード接続により、前記ＵＥからＷＬＡＮアクセスネットワーク要素に送信された上りリンクオフロードデータを受信するように配置される。
【００３４】
上記のスキームにおいて、３ＧＰＰアクセスネットワークが長期発展型ＬＴＥネットワークである場合、前記３ＧＰＰアクセスネットワーク要素は、発展型基地局ｅＮＢ、中継ノードＲＮまたはホーム発展型基地局ＨｅＮＢである。
【００３５】
３ＧＰＰアクセスネットワークが汎用移動通信システムＵＭＴＳネットワークである場合、前記３ＧＰＰアクセスネットワーク要素は、無線ネットワークコントローラＲＮＣ、基地局ＮｏｄｅＢまたはホーム基地局ＨＮＢである。
【００３６】
本発明の実施形態に係るマルチネットワークジョイント伝送に基づくオフロード方法、システム及びアクセスネットワーク要素において、３ＧＰＰアクセスネットワークとＷＬＡＮアクセスネットワーク要素との間のオフロード接続を確立することにより、３ＧＰＰネットワーク側のマルチネットワークジョイント伝送に対するオフロード制御を実現し、かつ３ＧＰＰネットワーク側がアクティブにユーザにターゲットオフロードノード、及びオフロードサービスを選択することができ、本発明の実施形態は、配布されるＷＬＡＮアクセスポイントを多重化でき、それによってバンドを節約させ、プロバイダーのコスト支出を低減させ、且つＵＥが３ＧＰＰネットワークとＷＬＡＮネットワークの間に動く場合、ネットワーク側よりオフロードデータの伝送を制御し、それによってデータストリームの切り替えが迅速となる。
【図面の簡単な説明】
【００３７】
【図１】従来のインターワーキング構造を示す図である。
【図２】本発明の実施形態における３ＧＰＰネットワークとＷＬＡＮネットワークがジョイント伝送を行う構造を示す図である。
【図３ａ】本発明の実施形態における３ＧＰＰアクセスネットワークとＷＬＡＮアクセスネットワークの間の、ＩＰ層に基づいて伝送されるオフロードインターフェイスプロトコルスタックを示す図である。
【図３ｂ】本発明の実施形態における３ＧＰＰアクセスネットワークとＷＬＡＮアクセスネットワークの間の、トンネリング層に基づいて伝送されるオフロードインターフェイスプロトコルスタックを示す図である。
【図３ｃ】本発明の実施形態における３ＧＰＰアクセスネットワークとＷＬＡＮアクセスネットワークの間の、ＵＤＰ層に基づいて伝送されるオフロードインターフェイスプロトコルスタックを示す図である。
【図４】本発明の実施形態におけるマルチネットワークジョイント伝送に基づくオフロード方法のフローチャートである。
【図５】本発明の実施形態におけるＬＴＥネットワークとＷＬＡＮネットワークがジョイント伝送を行うネットワーク構造を示す図である。
【図６】本発明の実施形態１におけるオフロード方法のフローチャートである。
【図７ａ】本発明の実施形態におけるＵＭＴＳネットワークとＷＬＡＮネットワークがジョイント伝送を行うネットワーク構造を示す図１である。
【図７ｂ】本発明の実施形態におけるＵＭＴＳネットワークとＷＬＡＮネットワークがジョイント伝送を行うネットワーク構造を示す図２である。
【図８】本発明の実施形態２におけるオフロード方法のフローチャートである。
【発明を実施するための形態】
【００３８】
以下、図面と具体的な実施形態を参照して本発明の実施形態の技術的なスキームをさらに詳しく説明する。
【００３９】
本発明の実施形態に係る３ＧＰＰネットワークとＷＬＡＮネットワークがジョイント伝送する構造は、図２に示すように、主にコアネットワーク、アクセスネットワーク及びＵＥを含む。
【００４０】
ここで、前記コアネットワークは、３ＧＰＰシステムにおけるコアネットワークネット要素を含み、そのネット要素間のインターフェイスと機能が従来の３ＧＰＰネットワークと一致し、例えば、発展型パケットシステム（ＥＰＳ：Ｅｖｏｌｖｅｄ Ｐａｃｋｅｔ Ｓｙｓｔｅｍ）において、コアネットワークネット要素は、モビリティ管理エンティティ（ＭＭＥ：Ｍｏｂｉｌｉｔｙ Ｍａｎａｇｅｍｅｎｔ Ｅｎｔｉｔｙ）、サービングゲートウェイ（Ｓ−ＧＷ：Ｓｅｒｖｉｎｇ ＧａｔｅＷａｙ）、パケットデータネットワークゲートウェイ（Ｐ−ＧＷ：Ｐａｃｋｅｔ Ｄａｔａ Ｎｅｔｗｏｒｋ ＧａｔｅＷａｙ）などを含み、汎用移動通信システム（ＵＭＴＳ：Ｕｎｉｖｅｒｓａｌ Ｍｏｂｉｌｅ Ｔｅｌｅｃｏｍｍｕｎｉｃａｔｉｏｎｓ Ｓｙｓｔｅｍ）において、コアネットワークネット要素は、サービングＧＰＲＳサポートノード（ＳＧＳＮ：Ｓｅｒｖｉｎｇ ＧＰＲＳ Ｓｕｐｐｏｒｔ Ｎｏｄｅ）、ゲートウェイＧＰＲＳサポートノード（ＧＧＳＮ：Ｇａｔｅｗａｙ ＧＰＲＳ Ｓｕｐｐｏｒｔ Ｎｏｄｅ）などを含む。
【００４１】
前記アクセスネットワークは、３ＧＰＰアクセスネットワーク要素とＷＬＡＮアクセスネットワーク要素を含む。
【００４２】
ＬＴＥネットワークにおいて、前記３ＧＰＰアクセスネットワーク要素は、発展型基地局（ｅＮＢ：ｅｖｏｌｖｅｄ ＮｏｄｅＢ）、中継ノード（ＲＮ：Ｒｅｌａｙ Ｎｏｄｅ）またはホーム発展型基地局（ＨｅＮＢ：Ｈｏｍｅ ｅＮＢ）などであってもよい。ＵＭＴＳネットワークにおいて、前記３ＧＰＰアクセスネットワーク要素は、無線ネットワークコントローラ（ＲＮＣ：Ｒａｄｉｏ Ｎｅｔｗｏｒｋ Ｃｏｎｔｒｏｌｌｅｒ）、基地局（ＮｏｄｅＢ）またはホーム基地局（ＨＮＢ：Ｈｏｍｅ ＮｏｄｅＢ）などであってもよい。前記３ＧＰＰアクセスネットワーク要素は、従来の３ＧＰＰアクセスネットワーク要素の機能に加えて、ユーザデータに対するオフロード/組合せ機能をさらに有する。
【００４３】
前記ＷＬＡＮアクセスネットワーク要素は、ＷＬＡＮアクセスポイント（ＡＰ：Ａｃｃｅｓｓ Ｐｏｉｎｔ）を含み、ＷＬＡＮアクセス制御ネット要素（ＡＣ：Ａｃｃｅｓｓ Ｃｏｎｔｒｏｌ）をさらに含んでよい。ＷＬＡＮアクセスネットワーク機能が従来のＷＬＡＮアクセスネットワーク機能に類似し、主にユーザデータ転送を担当する。しかし、本発明の実施形態におけるＷＬＡＮアクセスネットワークと従来のＷＬＡＮアクセスネットワークとの違いとして、ＷＬＡＮアクセスネットワークによって伝送されるデータが３ＧＰＰアクセスネットワークがオフロードインターフェイス（即ち３ＧＰＰアクセスネットワーク要素とＷＬＡＮアクセスネットワーク要素との間の伝送インターフェイス）を介して伝送されるオフロードデータである。
【００４４】
前記ＵＥは、少なくともＷＬＡＮと３ＧＰＰ無線アクセス技術をサポートするマルチモード端末設備である。
【００４５】
ここで、前記コアネットワークと３ＧＰＰアクセスネットワーク要素は、従来のネットワークインターフェイスを介して接続し、例えば、ＬＴＥネットワークにおいてＳ１インターフェイスを介して接続し、ＵＭＴＳネットワークにおいてＩｕインターフェイスを介して接続することができる。
【００４６】
ここで、前記３ＧＰＰアクセスネットワーク要素とＷＬＡＮアクセスネットワーク要素は、有線インターフェイス（例えば光ファイバ）または無線インターフェイス（例えば電子レンジまたは３ＧＰＰエアインタフェースプロトコルに基づく無線を介して接続する）を介して接続する。当該インターフェイスは、主に３ＧＰＰアクセスネットワーク要素とＷＬＡＮアクセスネットワーク要素の間にオフロードデータの伝送を担当する。当該インターフェイスのデータは、イーサーネット伝送プロトコルを採用して伝送し、例えば、図３ａに示すＩＰ層の伝送プロトコルを採用して伝送し、またはよりもっと上位層（例えば図３ｂに示すトンネリング（Ｔｕｎｎｅｌｌｉｎｇ）層、図３ｃに示すユーザーデータグラムプロトコルＵＤＰ層）の伝送プロトコルを採用して伝送することができる。無線インターフェイスを採用すると、有線インターフェイスを採用する場合との違いとして、主に低位層（即ちＬ１、Ｌ２）伝送プロトコルに対して無線接続に基づく伝送プロトコルを採用することである。
【００４７】
ここで、ＵＥは、３ＧＰＰエアインタフェースプロトコルにより、３ＧＰＰアクセスネットワーク要素とデータ転送を行い、ＷＬＡＮエアインタフェースプロトコルにより、ＷＬＡＮアクセスネットワーク要素とデータ転送を行う。
【００４８】
前記ネットワーク構造に基づいて、本発明の実施形態に係るマルチネットワークジョイント伝送に基づくオフロード方法は、図４に示すように、主に下記のステップを含む。
【００４９】
ステップ４０１、３ＧＰＰアクセスネットワーク要素は、ＷＬＡＮアクセスネットワーク要素にオフロード要求メッセージを送信する。
【００５０】
ここで、オフロード要求メッセージには、３ＧＰＰアクセスネットワーク側からＵＥに割り当てられる識別子情報及び/またはＵＥのアドレス情報が含まれるＵＥ識別子情報を有するオフロード構成情報が含まれることができ、３ＧＰＰアクセスネットワーク側からＵＥに割り当てられる識別子情報は、無線ネットワーク一時識別子（Ｃ−ＲＮＴＩ）であってもよく、ＵＥのアドレス情報は、ＵＥのメディアアクセス制御（ＭＡＣ）アドレスまたはＩＰアドレス情報であってもよい。
【００５１】
前記オフロード構成情報は、
１、３ＧＰＰアクセスネットワーク要素のオフロード接続のアドレスとポート番号と、
２、オフロードデータストリームのフォーム情報、例えば、指示オフロードデータがＩＰデータパケットまたはパケットデータコンバージェンスプロトコル（ＰＤＣＰ：Ｐａｃｋｅｔ Ｄａｔａ Ｃｏｎｖｅｒｇｅｎｃｅ Ｐｒｏｔｏｃｏｌ）データパケットであるなどの少なくとも一つを含む。
【００５２】
前記ＵＥは、３ＧＰＰアクセスネットワークによりオフロードデータの伝送を行うＵＥである。
【００５３】
ＷＬＡＮアクセスネットワーク要素は、３ＧＰＰアクセスネットワーク要素のオフロード要求メッセージを受信した後、前記オフロード構成情報を記憶することができ、選択可能に、ＷＬＡＮアクセスネットワーク要素は、ＵＥにアドレス情報を割り当てるなどのように前記ＵＥのアクセスのために準備できる。
【００５４】
ステップ４０２、３ＧＰＰアクセスネットワーク要素は、前記ＷＬＡＮアクセスネットワーク要素の成功応答を受信した後、ＵＥにオフロードコマンドを送信し、前記ＵＥが前記ＷＬＡＮアクセスネットワーク要素に対応するターゲットＷＬＡＮアクセスネットワークにアクセスすることを指示する。
【００５５】
ＷＬＡＮアクセスネットワーク要素は、３ＧＰＰアクセスネットワーク要素のオフロード要求メッセージを受信した後、前記要求を受けた後、３ＧＰＰアクセスネットワーク要素に成功応答を返し、前記成功応答に３ＧＰＰアクセスネットワーク側からＵＥに割り当てられる識別子情報及び／またはＵＥのアドレス情報を含むＵＥ識別子情報を有するオフロード準備情報が含まれ、３ＧＰＰアクセスネットワーク側からＵＥに割り当てられる識別子情報は、Ｃ−ＲＮＴＩであってよく、ＵＥのアドレス情報は、ＵＥのＭＡＣアドレス情報またはＩＰアドレス情報であってよい。
【００５６】
前記オフロード準備情報は、
１、ＵＥがＷＬＡＮネットワークにおいて確立する関連識別子情報であって、ＵＥを識別するためのＷＬＡＮ関連識別子と、
２、ＷＬＡＮアクセスネットワーク要素より前記ＵＥに割り当てられるアドレス情報、例えば、ローカルＩＰアドレスと、
３、ＷＬＡＮアクセスネットワーク要素のオフロード接続のアドレスとポート番号との少なくとも１つをさらに含む。
【００５７】
前記オフロードコマンドには、
１、ＷＬＡＮ関連識別子と、
２、ＷＬＡＮアクセスネットワーク要素が前記ＵＥに割り当てられるアドレス情報、例えばローカルＩＰアドレスと、
３、ＷＬＡＮアクセスネットワークの識別子情報、例えばサービスセット識別子（ＳＳＩＤ：Ｓｅｒｖｉｃｅ Ｓｅｔ Ｉｄｅｎｔｉｆｉｅｒ）または基本サービスセット識別子（ＢＳＳＩＤ：Ｂａｓｉｃ Ｓｅｒｖｉｃｅ Ｓｅｔ Ｉｄｅｎｔｉｆｉｅｒ）などの少なくとも１つを有するオフロード指示情報が含まれる。
【００５８】
ＵＥは、３ＧＰＰアクセスネットワーク要素のオフロードコマンドを受信した後、前記オフロードコマンドにキャリーされるオフロード指示情報に基づいて、前記ＷＬＡＮアクセスネットワーク要素に対応するターゲットＷＬＡＮアクセスネットワークにアクセスし、そして接続を確立する。
【００５９】
ステップ４０３、前記ＵＥが前記ターゲットＷＬＡＮアクセスネットワークに成功にアクセスすると確認した後、３ＧＰＰアクセスネットワーク要素は、前記ＷＬＡＮアクセスネットワーク要素とのオフロード接続により、データオフロード伝送を行う。
【００６０】
３ＧＰＰアクセスネットワーク要素がＵＥがターゲットＷＬＡＮアクセスネットワークに成功にアクセスすると確認する方法としては、ＵＥがターゲットＷＬＡＮアクセスネットワークに成功にアクセスした後、ＵＥまたはＷＬＡＮアクセスネットワーク要素がメッセージにより３ＧＰＰアクセスネットワーク要素に指示することであってもよい。前記３ＧＰＰアクセスネットワーク要素は、前記ＵＥまたはＷＬＡＮアクセスネットワーク要素からの指示メッセージに基づいて、前記ＵＥが前記ターゲットＷＬＡＮアクセスネットワークに成功にアクセスするかどうかを判断する。
【００６１】
ここで、前記３ＧＰＰアクセスネットワーク要素がＷＬＡＮアクセスネットワーク要素とのオフロード接続により、オフロードデータの伝送を行うことは、３ＧＰＰアクセスネ
ットワーク要素がＷＬＡＮアクセスネットワーク要素とのオフロード接続により、下りリンクオフロードデータを前記ＷＬＡＮアクセスネットワーク要素に送信し、前記ＷＬＡＮアクセスネットワーク要素より下りリンクオフロードデータを前記ＵＥに送信し、前記３ＧＰＰアクセスネットワーク要素がＷＬＡＮアクセスネットワーク要素とのオフロード接続により、前記ＵＥからＷＬＡＮアクセスネットワーク要素に送信された上りリンクオフロードデータを受信することを含む。
【００６２】
即ち、３ＧＰＰアクセスネットワークとＷＬＡＮアクセスネットワークは、その間のオフロード接続により、データオフロードデータの伝送を行い、具体的には、ＷＬＡＮアクセスネットワークとＵＥの間に伝送されるデータは、３ＧＰＰアクセスネットワークとＵＥの間のオフロードデータであり、下りリンクに対して、当該データは、３ＧＰＰアクセスネットワークからＷＬＡＮアクセスネットワークに伝送されるオフロードデータであり、上りリンクに対して、当該データは、ＵＥより生成されたオフロードデータであり、ＷＬＡＮアクセスネットワークより受信された後にオフロードインターフェイスを介して３ＧＰＰアクセスネットワークに伝送される必要がある。
【００６３】
上記の実施形態の方法によれば、ネットワーク側は、マルチネットワークが組合せる場合のデータオフロード伝送を制御でき、ネットワーク側は、アクティブにユーザにターゲットオフロードノード及びオフロードサービスを選択することができる。
【００６４】
以下、具体的な実施形態を参照して本発明の実施形態に係るマルチネットワークジョイント伝送に基づくオフロード方法をさらに詳しく説明する。
【００６５】
本発明の実施例１では、ＬＴＥネットワークとＷＬＡＮネットワークのジョイント伝送を例として、ネットワーク構造は、図５に示され、ｅＮＢがＳ１インターフェイスを介してＬＴＥコアネットワークに接続される。無線アクセスネットワーク（ＲＡＮ）側のｅＮＢは、またオフロードインターフェイスとＷＬＡＮアクセスポイント（ＡＰ）を介して接続され、オフロードインターフェイスがイーサーネットプロトコルに基づいてデータを交換する。ＵＥはそれぞれＵｕインターフェイスプロトコルとＷＬＡＮエアインタフェースプロトコルに従って、ｅＮＢとＡＰとデータ転送を行う。オフロード方法は、図６に示すように、主に下記のステップを含む。
【００６６】
ステップ６０１、ｅＮＢはＡＰにオフロード要求メッセージを開始し、当該メッセージに、ＵＥ識別子情報（Ｃ−ＲＮＴＩ：Ｃｅｌｌ Ｒａｄｉｏ Ｎｅｔｗｏｒｋ Ｔｅｍｐｏｒａｒｙ Ｉｄｅｎｔｉｆｉｅｒ、即ちセル無線ネットワーク一時識別子）、ｅＮＢ側のオフロード接続のアドレスとポート番号が含まれるオフロード構成情報がキャリーされる。
【００６７】
ここで、ｅＮＢがオフロードノード（即ちＡＰ）を選択することは、ｅＮＢが事前構成情報またはＵＥのＷＬＡＮネットワークに対する測定レポートに基づいて選択し、例えば、ＵＥ測定における無線信号質の良いＡＰノードを選択することであってよく、ここで、ＵＥがＷＬＡＮネットワークに対する測定レポートをサポートする必要があることが要求される。
【００６８】
ステップ６０２、ＡＰは、オフロード要求メッセージを受信した後、前記オフロード要求メッセージにおけるオフロード構成情報を記憶し、そしてＵＥにＷＬＡＮ関連識別子（ＡＩＤ：Ａｐｐｌｉｃａｔｉｏｎ Ｉｄｅｎｔｉｆｉｅｒ、即ちアプリケーション識別子）とローカルＩＰアドレスを割り当てて、ｅＮＢに成功応答メッセージを送信し、応答メッセージに、ＵＥ識別子情報（Ｃ-ＲＮＴＩ）、ＵＥのＡＩＤ情報とローカルＩＰアドレス情報、及びＷＬＡＮ側のオフロード接続のアドレスとポート番号を有するオフロード準備情報が含まれる。
【００６９】
ステップ６０３、ｅＮＢは、成功応答メッセージを受信した後、得られたオフロード接続のアドレス情報を用いてＡＰとのオフロード接続を確立し、そしてＵＥにオフロードコマンドを送信する。その中にＷＬＡＮにおけるＵＥのローカルＩＰアドレス情報、ターゲットＷＬＡＮアクセスネットワークの識別子情報（ＳＳＩＤ）を有するオフロード指示情報がキャリーされる。
【００７０】
ステップ６０４、ＵＥは、前記オフロードコマンドにキャリーされるオフロード指示情報に基づいて、ターゲットＷＬＡＮアクセスネットワークにアクセスし、そして指示メッセージにより当該ＵＥがすでにターゲットＷＬＡＮアクセスネットワークに成功にアクセスしたことをｅＮＢに通知する。
【００７１】
ステップ６０５、ｅＮＢは、ＡＰとのオフロード接続により、一部または全部の下りリンクデータをＷＬＡＮアクセスネットワークにオフロードし、そしてＡＰによりＵＥに送信し、ＵＥの上りリンクデータをＡＰに送信し、ＡＰは、ｅＮＢとのオフロード接続により、ＵＥの上りリンクデータをｅＮＢに送信する。
【００７２】
なお、図５に示す構造と図６に示すプロセスは、同様に３ＧＰＰアクセスネットワーク要素がＲＮまたはＨｅＮＢである場合に適用され、違いところとして、ＲＮ場合の帰路リンクがＬＴＥエアインタフェースに基づくものであり、ＨｅＮＢ場合の帰路リンクがホーム基地局ゲートウェイより管理されることなどであると説明すべきである。しかし、ネットワーク側におけるオフロードノードに対する選択とオフロード過程は、すべて同じであり、即ちＲＮとＨｅＮＢは、上記のｅＮＢと同様な機能と操作を実現する。
【００７３】
さらに、図５に示す構造と図６に示すプロセスは、同様にＵＭＴＳネットワークとＷＬＡＮネットワークのジョイント伝送の場合に適用される。違いところとして、３ＧＰＰアクセスネットワーク要素は、ＵＭＴＳアクセスネットワーク要素であり、ＵＭＴＳアクセスネットワーク要素がＲＮＣとＮｏｄｅＢを含むので、オフロード接続は、ＲＮＣとＡＰの間に確立され、またはＮｏｄｅＢとＡＰの間に確立される。しかし、構造全体とオフロード方法は、依然として上記の実施形態と類似する。
【００７４】
本発明の実施形態２ではＵＭＴＳネットワークとＷＬＡＮネットワークのジョイント伝送を例として、ネットワーク構造は、図７ａ、図７ｂに示され、図７ａにおけるオフロード接続は、ＲＮＣとＡＰの間に確立され、図７ｂにおけるオフロード接続は、ＮｏｄｅＢとＡＰの間に確立され、オフロードインターフェイスがイーサーネットプロトコルに基づいてデータ交換を行う。図７ａに示す構造を例としてオフロード方法を説明し、図７ａに示す構造において、ＲＮＣは、Ｉｕインターフェイスを介してＵＭＴＳコアネットワークに接続され、かつＵＥはそれぞれＵｕインターフェイスプロトコルとＷＬＡＮエアインタフェースプロトコルに従って、ＲＮＣとＡＰとデータ転送を行う。オフロード方法は、図８に示すように、主に下記のステップを含む。
【００７５】
ステップ８０１、ＲＮＣは、ＡＰにオフロード要求メッセージを開始し、当該メッセージに、ＵＥのＭＡＣアドレス、ＲＮＣ側のオフロード接続のアドレスとポート番号を有するオフロード構成情報がキャリーされる。
【００７６】
ここで、ＲＮＣ側がＵＥのＭＡＣアドレスを取得する方法は、ＵＥが上りリンクメッセージによりＲＮＣに指示することであってよい。
【００７７】
ＲＮＣがオフロードノード（即ちＡＰ）を選択することは、ＲＮＣが事前構成情報また
はＲＮＣはＵＥのＷＬＡＮネットワークに対する測定レポートに基づいて選択し、例えば、ＵＥ測定における無線信号質の良いＡＰノードを選択することであってよく、ここでＵＥがＷＬＡＮネットワークに対する測定レポートをサポートする必要があることが要求される。
【００７８】
ステップ８０２、ＡＰは、オフロード要求メッセージを受信した後、前記オフロード要求メッセージにおけるオフロード構成情報を記憶し、ＲＮＣに成功応答メッセージを送信し、応答メッセージに、ＷＬＡＮ側のオフロード接続のアドレスとポート番号を含むオフロード準備情報が含まれる。
【００７９】
ステップ８０３、ＲＮＣは、成功応答メッセージを受信した後、得られたオフロード接続のアドレス情報を用いてＡＰとのオフロード接続を確立し、そしてＵＥにオフロードコマンドを送信し、その中にＷＬＡＮにおけるＵＥのローカルＩＰアドレス情報、ターゲットＷＬＡＮアクセスネットワークの識別子情報（ＳＳＩＤ）を含むオフロード指示情報がキャリーされる。
【００８０】
ステップ８０４、ＵＥは、前記オフロードコマンドにキャリーされるオフロード指示情報に基づいて、ターゲットＷＬＡＮアクセスネットワークにアクセスし、そして指示メッセージにより当該ＵＥがすでにターゲットＷＬＡＮアクセスネットワークに成功にアクセスしたことをｅＮＢに通知する。
【００８１】
ステップ８０５、ＲＮＣは、ＡＰとのオフロード接続により、一部またはすべての下りリンクデータをＷＬＡＮアクセスネットワークにオフロードし、そしてＡＰによりＵＥに送信し、ＵＥの上りリンクデータをＡＰに送信し、ＡＰは、ＲＮＣとのオフロード接続により、ＵＥの上りリンクデータをＲＮＣに送信する。
【００８２】
図７ｂに示す構造に対応するオフロード方法は、図８に示すプロセスと類似し、違いとして、ステップ８０１において、ＲＮＣはＮｏｄｅＢが選択されるＡＰにオフロード要求メッセージを開始することを指示し、ステップ８０２における成功応答メッセージをＮｏｄｅＢに送信し、ステップ８０３におけるオフロード接続はＮｏｄｅＢとＡＰの間に確立され、ステップ８０５において、ＮｏｄｅＢはＡＰとのオフロード接続により、データオフロード伝送を行うと説明すべきである。
【００８３】
図７ａ、７ｂに示す構造と図８に示すプロセスも同様に３ＧＰＰアクセスネットワーク要素がＲＮまたはＨＮＢである場合に適用され、違いところとして、ＨＮＢ場合の帰路リンクがＬＴＥエアインタフェースに基づくものであり、ＨｅＮＢ場合の帰路リンクがホーム基地局ゲートウェイより管理されることなどである。しかし、ネットワーク側におけるオフロードノードに対する選択とオフロード過程は、すべて同じであり、即ちＨＮＢは、上記のＮｏｄｅＢと同様な機能と操作を実現する。
【００８４】
本発明の実施形態におけるマルチネットワークジョイント伝送に基づくオフロード方法に対応して、本発明は、さらにマルチネットワークジョイント伝送に基づくオフロードシステムの実施形態を提供し、当該システムは、３ＧＰＰアクセスネットワーク要素、ＷＬＡＮアクセスネットワーク要素、ＵＥを備える。
【００８５】
ここで、３ＧＰＰアクセスネットワーク要素は、前記ＷＬＡＮアクセスネットワーク要素にオフロード要求メッセージを送信し、前記ＷＬＡＮアクセスネットワーク要素の成功応答を受信した後、前記ＵＥにオフロードコマンドを送信し、前記ＵＥが前記ＷＬＡＮアクセスネットワーク要素に対応するターゲットＷＬＡＮアクセスネットワークにアクセスすることを指示し、前記ＵＥが前記ターゲットＷＬＡＮアクセスネットワークに成功にア
クセスすると確認した後、前記ＷＬＡＮアクセスネットワーク要素とのオフロード接続によりデータオフロード伝送を行うように配置される。
【００８６】
ＷＬＡＮアクセスネットワーク要素は、前記３ＧＰＰアクセスネットワーク要素のオフロード要求メッセージを受信し、そして前記３ＧＰＰアクセスネットワーク要素に応答を返すように配置され、さらに、前記３ＧＰＰアクセスネットワーク要素とのオフロード接続により、前記ＵＥと３ＧＰＰアクセスネットワーク要素との間のオフロードデータを転送するように配置される。
【００８７】
ＵＥは、前記３ＧＰＰアクセスネットワーク要素のオフロードコマンドを受信し、そして前記オフロードコマンドに基づいて前記ＷＬＡＮアクセスネットワーク要素に対応するターゲットＷＬＡＮアクセスネットワークにアクセスするように配置され、さらに、前記ターゲットＷＬＡＮアクセスネットワークに成功にアクセスした後、前記ＷＬＡＮアクセスネットワーク要素により前記３ＧＰＰアクセスネットワーク要素とデータオフロード伝送を行うように配置される。
【００８８】
好ましくは、前記オフロード要求メッセージには、ＵＥ識別子情報に加えて、３ＧＰＰアクセスネットワーク要素のオフロード接続のアドレスとポート番号、オフロードデータストリームのフォーム情報の少なくとも１つを含むオフロード構成情報が含まれる。
【００８９】
好ましくは、前記成功応答には、ＵＥ識別子情報に加えて、ＷＬＡＮ関連識別子、ＷＬＡＮアクセスネットワーク要素より前記ＵＥに割り当てられるアドレス情報、ＷＬＡＮアクセスネットワーク要素のオフロード接続のアドレスとポート番号の少なくとも１つを含むオフロード構成情報が含まれる。
【００９０】
好ましくは、前記オフロードコマンドには、ＷＬＡＮ関連識別子、ＷＬＡＮアクセスネットワーク要素より前記ＵＥに割り当てられるアドレス情報、ＷＬＡＮアクセスネットワークの識別子情報の少なくとも１つを含むオフロード指示情報が含まれる。
【００９１】
好ましくは、前記３ＧＰＰアクセスネットワーク要素は、さらに、前記ＵＥまたはＷＬＡＮアクセスネットワーク要素からの指示メッセージに基づいて、前記ＵＥが前記ターゲットＷＬＡＮアクセスネットワークに成功にアクセスするかどうかを判断するように配置される。
【００９２】
好ましくは、前記３ＧＰＰアクセスネットワーク要素は、さらに、ＷＬＡＮアクセスネットワーク要素とのオフロード接続により、下りリンクオフロードデータを前記ＷＬＡＮアクセスネットワーク要素に送信し、前記ＷＬＡＮアクセスネットワーク要素より下りリンクオフロードデータを前記ＵＥに送信し、ＷＬＡＮアクセスネットワーク要素とのオフロード接続により、前記ＵＥからＷＬＡＮアクセスネットワーク要素に送信された上りリンクオフロードデータを受信するように配置される。
【００９３】
ここで、３ＧＰＰアクセスネットワークが長期発展型ＬＴＥネットワークである場合、前記３ＧＰＰアクセスネットワーク要素は、発展型基地局ｅＮＢ、中継ノードＲＮまたはホーム発展型基地局ＨｅＮＢである。
【００９４】
３ＧＰＰアクセスネットワークが汎用移動通信システムＵＭＴＳネットワークである場合、前記３ＧＰＰアクセスネットワーク要素は、無線ネットワークコントローラＲＮＣ、基地局ＮｏｄｅＢまたはホーム基地局ＨＮＢである。
【００９５】
３ＧＰＰアクセスネットワーク要素に係る実施形態であって、当該３ＧＰＰアクセスネ
ットワーク要素は、ＷＬＡＮアクセスネットワーク要素にオフロード要求メッセージを送信し、そして前記ＷＬＡＮアクセスネットワーク要素の応答を受信するように配置されるオフロード要求モジュールと、前記ＷＬＡＮアクセスネットワーク要素の成功応答を受信した後、ＵＥにオフロードコマンドを送信し、前記ＵＥが前記ＷＬＡＮアクセスネットワーク要素に対応するターゲットＷＬＡＮアクセスネットワークにアクセスすることを指示するように配置されるオフロード指示モジュールと、前記ＵＥが前記ターゲットＷＬＡＮアクセスネットワークに成功にアクセスすると確認した後、前記３ＧＰＰアクセスネットワーク要素とＷＬＡＮアクセスネットワーク要素との間のオフロード接続により、オフロードデータ伝送を行うように配置されるオフロード伝送モジュールとを備える。
【００９６】
好まくは、前記オフロード伝送モジュールは、さらに、前記ＵＥまたはＷＬＡＮアクセスネットワーク要素からの指示メッセージに基づいて、前記ＵＥが前記ターゲットＷＬＡＮアクセスネットワークに成功にアクセスするかどうかを判断するように配置される。
【００９７】
好ましくは、前記オフロード伝送モジュールは、さらに、ＷＬＡＮアクセスネットワーク要素とのオフロード接続により、下りリンクオフロードデータを前記ＷＬＡＮアクセスネットワーク要素に送信し、前記ＷＬＡＮアクセスネットワーク要素より下りリンクオフロードデータを前記ＵＥに送信し、ＷＬＡＮアクセスネットワーク要素とのオフロード接続により、前記ＵＥからＷＬＡＮアクセスネットワーク要素に送信された上りリンクオフロードデータを受信するように配置される。
【００９８】
好ましくは、前記オフロード要求モジュール、オフロード指示モジュールは、前記３ＧＰＰアクセスネットワーク要素における通信機能を有するチップにより実現されてもよい。前記オフロード伝送モジュールは、前記３ＧＰＰアクセスネットワーク要素における中央処理器（ＣＰＵ：Ｃｅｎｔｒａｌ Ｐｒｏｃｅｓｓｉｎｇ Ｕｎｉｔ）、マイクロ処理器（ＭＰＵ：Ｍｉｃｒｏ Ｐｒｏｃｅｓｓｉｎｇ Ｕｎｉｔ）またはデジタル信号処理器（ＤＳＰ：Ｄｉｇｉｔａｌ Ｓｉｇｎａｌ Ｐｒｏｃｅｓｓｏｒ）及びデータ転送機能を有するチップにより実現される。
【００９９】
上記は、好適な実施形態だけであり、本発明を限定することに用いられるものではない。
【産業上の利用可能性】
【０１００】
本発明の実施形態に係るマルチネットワークジョイント伝送に基づくオフロード方法、システム及びアクセスネットワーク要素において、３ＧＰＰアクセスネットワークとＷＬＡＮアクセスネットワーク要素との間のオフロード接続を確立することにより、３ＧＰＰネットワーク側のマルチネットワークジョイント伝送に対するオフロード制御を実現し、かつ３ＧＰＰネットワーク側がアクティブにユーザにターゲットオフロードノード、及びオフロードサービスを選択することができ、本発明の実施形態は、配布されるＷＬＡＮアクセスポイントを多重化でき、それによってバンドを節約し、プロバイダーのコスト支出を低減させ、かつＵＥが３ＧＰＰネットワークとＷＬＡＮネットワークの間に動く場合、ネットワーク側よりオフロードデータの伝送を制御して、データストリームの切り替えが迅速となる。
【図１】
0005970614.tif 000002
【図２】
0005970614.tif 000003
【図３ａ】
0005970614.tif 000004
【図３ｂ】
0005970614.tif 000005
【図３ｃ】
0005970614.tif 000006
【図４】
0005970614.tif 000007
【図５】
0005970614.tif 000008
【図６】
0005970614.tif 000009
【図７ａ】
0005970614.tif 000010
【図７ｂ】
0005970614.tif 000011
【図８】
0005970614.tif 000012